(57)【要約】【課題】髪のクセ付け等に際し、ドライヤーを片手で持った状態で、もう一方の片手を自由に使用することが可能であるヘアドライヤーの提供を図る。【解決手段】ヘアドライヤー１において、送風口３に、挟持部４ａを有するアタッチメント４が備え付けられるとともに、該挟持部４ａが自在に形状変化することが可能である構成となっている。かかる挟持部４ａは、ヘアドライヤー１の把持部５に設けられた操作部６を操作することにより、あるいは、送風口３ａからの温風・冷風の送風温度に対応して、巻き込み状や略直立状に形状変化する。【選択図】図１
2011056141.tif 000002
【特許請求の範囲】
【請求項１】
ヘアドライヤーにおいて、送風口に挟持部を有するアタッチメントが備え付けられるとともに、該挟持部を自在に形状変化することが可能であることを特徴とするヘアドライヤー。
【請求項２】
前記ヘアドライヤーにおいて、把持部における手動操作により、前記挟持部の形状変化を行う構造であることを特徴とする請求項１に記載のヘアドライヤー。
【請求項３】
前記ヘアドライヤーにおいて、前記挟持部における少なくとも芯部を形状記憶合金で構成することにより、送風口から送出する温風あるいは冷風に伴って前記挟持部の形状変化を行う構造であることを特徴とする請求項１に記載のヘアドライヤー。
【請求項４】
前記ヘアドライヤーにおいて、前記アタッチメントが、前記送風口に対し、着脱自在であることを特徴とする請求項１から請求項３のいずれかに記載のヘアドライヤー。
【請求項５】
前記ヘアドライヤーにおいて、前記挟持部が、櫛状、ブラシ状、あるいは、こて状のいずれかであることを特徴とする請求項１から請求項４のいずれかに記載のヘアドライヤー。
【発明の詳細な説明】
【技術分野】
【０００１】
本発明は、ヘアドライヤーに関し、詳しくは、髪のクセ付けなど種々の用途に応用可能なヘアドライヤーに関するものである。
【背景技術】
【０００２】
ヘアドライヤーは、濡れた毛髪を乾燥させたり、髪型をセットする際に使用される。ところで、従来のヘアドライヤーは、温風あるいは冷風のいずれか一方を切替えにより送風するものが主流であり、髪型をセットする際には、ブラシ等をあてがった毛髪部分に対し、その温風と冷風とを上手く使い分けることで、髪のクセ付けが行われている。すなわち、ドライヤー使用者の片手はブラシ、もう一方の片手はドライヤーを持つこととなり、両手が塞がった状態となってしまう。したがって、そこへ一手間を加えようとした場合に、使用者の両手は塞がっているため、他人の手を借りる必要があった。
【０００３】
【特許文献１】実開平１−１５５９０１号公報
【特許文献２】実開平１−１５３１０３号公報
【特許文献３】実開昭６３−４８５０３号公報
【発明の開示】
【発明が解決しようとする課題】
【０００４】
そこで本発明は、上記問題点に鑑みてなされたものであって、髪のクセ付けや、その他種々の用途に対し、ドライヤーを片手で持った状態で、もう一方の片手を自由に使用することが可能であるヘアドライヤーを提供することを課題とするものである。
【課題を解決するための手段】
【０００５】
前記課題を解決するため、本発明は、ヘアドライヤーにおいて、送風口に挟持部を有するアタッチメントが備え付けられるとともに、該挟持部を自在に形状変化することが可能である構成となっている。
【０００６】
また、本発明は、前記ヘアドライヤーにおいて、把持部における手動操作により、前記挟持部の形状変化を行う構造を採用し得る。
【０００７】
さらに、本発明は、前記ヘアドライヤーにおいて、前記挟持部における少なくとも芯部を形状記憶合金で構成することにより、送風口から送出する温風あるいは冷風に伴って前記挟持部の形状変化を行う構造を採用し得る。
【０００８】
またさらに、本発明は、前記ヘアドライヤーにおいて、前記アタッチメントが、前記送風口に対し、着脱自在である構造とすることが考え得る。
【０００９】
そしてまた、本発明は、前記ヘアドライヤーにおいて、前記挟持部が、櫛状、ブラシ状、あるいは、こて状のいずれかである構造とすることができる。
【発明の効果】
【００１０】
本発明によれば、ドライヤー使用者が片手でドライヤーを持ちながら、もう一方の片手を使用することなく同時に髪のクセ付けを容易に行うことが可能となる。したがって、自由なもう一方の片手を使用して、髪のクセ付け部分の微調整や、薬品の塗布など、毛髪にもう一手間加えたりすることが自由にできるという、従来にない優れた効果を奏するものである。
【００１１】
また、本発明によれば、アタッチメントを種々交換することで、必要に応じた種類の挟持部に自由に変更することが可能であり、髪のクセ付けに必要な櫛状やブラシ状、こて状の挟持部とするだけでなく、形状変化を応用可能な挟持部を備えるアタッチメントへの交換も可能であり、例えば、数本の指状の挟持部を備えるアタッチメントに交換することで、ヘアドライヤーを使って物品を掴むことも可能となる。
【発明を実施するための最良の形態】
【００１２】
以下、本発明にかかるヘアドライヤー１の実施形態について、図面を参照しながら詳細に説明する。
【００１３】
図１は、本発明にかかるヘアドライヤー１の実施形態を示す斜視図である。
本実施形態におけるヘアドライヤー１は、図面に示すように、ドライヤー本体２の先端に取付けられた送風ノズル３の送風口３ａに、アタッチメント４が備え付けられた構成となっている。
【００１４】
アタッチメント４は、挟持部４ａと基部４ｂとからなり、該基部４ｂに挟持部４ａの一端が接合された構成となっている。そしてまた、該挟持部４ａは、自在に形状変化することが可能な構造となっている。
【００１５】
なお、挟持部４ａの形状については、毛髪のクセ付けに適した種々のものが考えられ、例えば図２に示されているようなものが考え得る。すなわち、図２（ａ）は挟持部４ａが櫛状である場合、図２（ｂ）は挟持部４ａがブラシ状である場合、図３（ｃ）は挟持部４ａがこて状である場合について示している。
【００１６】
該挟持部４ａの形状変化のための構造については、例えば、ヘアドライヤー１の把持部５に手動操作用の操作部６を設け、該操作部６を操作することで、ワイヤー等を介して、挟持部４ａの形状を適宜変化させる構造が考えられる。
【００１７】
これを、挟持部４ａが図２（ａ）に示す櫛状である場合について説明すると、例えば、把持部５を把持している手のうち一本の指で前記操作部６を操作することにより、ヘアドライヤー１内に備えられたワイヤー等の操作機構が操作され、図３（ｂ）に示すように、櫛状の挟持部４ａが巻き込み状に形状変化し、反対に該操作部６を逆操作すると、操作機構が自然と元に戻って、図３（ａ）に示すように、櫛状の挟持部４ａが略直立状に形状変化する。そして、該挟持部４ａの巻き込み力については、操作部６の押圧の強弱により可変可能となる。
【００１８】
なお、かかる挟持部４ａの形状変化のための構造については、ヘアドライヤー１の把持部５に操作部６を設けて、該操作部６を操作して挟持部４ａの形状を変化させる構造であれば、上記した構造に限定されるものではない。
【００１９】
あるいは、該挟持部４ａの形状変化のための構造について、例えば、前記挟持部４ａにおける少なくとも芯の部分を形状記憶合金によって構成させることにより、送風口３ａから送出する温風あるいは冷風に伴って、前記挟持部４ａの形状を適宜変化させる構造を採用することが考えられる。
【００２０】
これを、挟持部４ａが図２（ａ）に示す櫛状である場合について説明すると、例えば、ヘアドライヤー１の送風を温風と冷風とで適宜切り替えることで、櫛状の挟持部４ａが巻き込み状になったり直立状になったりと、送風の温度に反応して形状変化をすることとなる。
詳しくは、ヘアドライヤー１から温風を送風することにより、櫛状の挟持部４ａはその送風の温度に反応して、図３（ｂ）に示すように、巻き込み状に形状変化する。逆に、ヘアドライヤー１から冷風を送風すると、図３（ａ）に示すように、櫛状の挟持部４ａは冷却されて略直立状に形状変化することとなる。
【００２１】
上記において、挟持部４ａの形状変化の態様について、温風で巻き込み状に変化するとともに、冷風で略直立状に形状変化する場合について述べたが、温風及び冷風に反応して挟持部４ａがどのような状態へ形状変化するかについては、特に限定するものではない。
【００２２】
なお、前記挟持部４ａが櫛状あるいはブラシ状である場合に、その挟持部４ａの形状変化の態様について、操作部６を操作する場合並びに形状記憶合金による場合のいずれにおいても、該挟持部４ａの中央部は毛髪Ｈを掴むように巻き込み状に形状変化するとともに、該挟持部４ａの両端部は内側（中央部方向）へ形状変化する態様が考え得る。
かかる態様とすることで、毛髪Ｈを挟持部４ａで巻き込む際に、前記中央部の掴んだ毛髪Ｈが外側に拡がって両サイドに逃げないよう、挟持部４ａの両端部で両脇から挟み込むことで、確実に毛髪Ｈを巻き込んだ状態でクセ付け等作業を行うことが可能となる。
【００２３】
前記アタッチメント４については、前記送風口３に対し、固定的であると着脱可能であるとを問うものではない。ただし。該アタッチメント４を着脱自在である構成を採用することにより、該アタッチメント４を送風口３から取り外して、通常のヘアドライヤー１として使用することもでき、また、用途に併せて種々の挟持部４ａを備えるアタッチメント４の中から、選択されたアタッチメント４を適宜送風口３に取り付けることで、各用途に応じた使い回しが可能となる。
【００２４】
以上の通り構成される本発明にかかるヘアドライヤー１について、へアセットに際しての使用状態を図４に示す。
すなわち、まず初めにクセ付け等をする毛髪Ｈの部分に、アタッチメント４の挟持部４ａの先端部をあてがい、その状態で挟持部４ａにより毛髪Ｈを巻き込むべく、把持部５の操作部６を押し操作するか、あるいは、ヘアドライヤー１の送風口３ａから温風を送風する。すると、操作部６に連動して、あるいは、温風の温度に反応して、挟持部４ａが巻き込み状へと徐々に形状変化することとなる。このとき、該挟持部４ａは、あてがった毛髪Ｈを巻き込みながら巻き込み状となる。
【００２５】
毛髪Ｈを挟持部４ａが巻き込んだ状態で、場合によってはヘアドライヤー１自体で角度もつけながら、クセ付けのためにしばらく温風を送風した後、操作部６の押圧を弱めつつ冷風を送風するか、あるいは、単に冷風を送風する。すると、操作部６の押圧に連動して、あるいは、該冷風の温度に反応して、挟持部４ａが略直立状へと徐々に形状変化するとともに、該挟持部４ａが巻き込んだ毛髪Ｈを冷風で冷やしながら、そのクセ付けが固定化されることとなる。そして、挟持部４ａが完全に略直立状となった段階で、該アタッチメント４の挟持部４ａの先端部を毛髪Ｈから離すことで、一連の作業は終了する
【００２６】
以上のように、本発明にかかるヘアドライヤー１によれば、ヘアドライヤー１を持ったまま、その片手のみで髪型のセットを容易にすることができるため、空いたもう一方の片手を自由に使用することが可能であり、髪のクセ付け部分の微調整や、薬品の塗布など、毛髪にもう一手間加えたりすることを自由に行うことができる。
そしてまた、温風でセットした毛髪を冷風により固めるという一連の作業を、容易かつ即座に行うことが可能である。
【００２７】
なお、本発明にかかるヘアドライヤー１の使用態様については、上記した図４に示すへアセットの態様に限定されるものではない。例えば、数本の指状の挟持部４ａを備えるアタッチメント４を取り付けることで、ヘアドライヤー１を使って手の届かない場所等の物品を掴むことも可能になるなど、形状変化を応用可能な挟持部４ａを備えるアタッチメント４への交換することで、様々な用途態様が考え得る。
【産業上の利用可能性】
【００２８】
本発明にかかるヘアドライヤー１は、簡単な構造であって、かつ、髪型をセットする際の毛髪Ｈのクセ付けや、形状変化を応用可能な用途に対し、ヘアドライヤー１を持った片手のみで容易に作業することをできるものであって、理美容界等においても個人的にも充分に使用価値があり、本発明の産業上の利用可能性は非常に大きいといえる。
【図面の簡単な説明】
【００２９】
【図１】本発明にかかるヘアドライヤーの実施形態を示す斜視図である。
【図２】本発明にかかるヘアドライヤーの実施形態を示す斜視図である。
【図３】本発明にかかるヘアドライヤーの実施形態を示す説明図である。
【図４】本発明にかかるヘアドライヤーの使用形態を示す説明図である。
【符号の説明】
【００３０】
１    ヘアドライヤー
２    ドライヤー本体
３    送風ノズル
３ａ  送風口
４    アタッチメント
４ａ  挟持部
４ｂ  基部
５    把持部
６    操作部
Ｈ    毛髪
【図１】
2011056141.tif 000003
【図２】
2011056141.tif 000004
【図３】
2011056141.tif 000005
【図４】
2011056141.tif 000006